(57)【要約】【課題】温水タンク内の洗浄水を排水するための排水口と汚水バケツとの位置関係に十分な余裕寸法が設定できないような場合でも、温水タンクの洗浄水を汚水バケツ内に確実に排水可能とする。【解決手段】排水フラップ５２は、排水レバー５１と連動するような構造となっていて、排水レバー５１が温水洗浄便座装置本体部の後方に押し込まれた際に開状態となって排水弁から排水された洗浄水を汚水バケツに導水する。そのため、温水タンク内に貯留された洗浄水を排水しようとする使用者が、排水レバー５１の操作部を指等により操作すると、排水フラップ５２が開状態になるとともに、排水弁５３に応力が加えられ洗浄水の排水が行われる。そして、排水弁５３から排水された洗浄水は、排水溝５４内を流れて、開状態の排水フラップ５２まで導水され、この排水フラップ５２から汚水バケツ内に排水される。【選択図】図８
2014015724.tif 000002
【特許請求の範囲】
【請求項１】
ノズルから洗浄水を噴出して利用者の局部を洗浄するための洗浄便座装置が備えられたポータブルトイレ装置であって、
前記ノズルから噴出され使用された後の洗浄水を受けるための汚水バケツと、
前記ノズルから噴出するための洗浄水を貯留して所定温度まで加温するための温水タンクと、
前記温水タンクの下部に設けられ、当該温水タンクの外側から所定以上の応力が加えられることにより、前記温水タンク内に貯留されている洗浄水を排水するための排水弁と、
前記洗浄便座装置の前記ノズルが収納されている本体部の前側に操作部が設けられ、前記操作部が操作されることにより前記排水弁に応力を伝達するための排水レバーと、
前記排水レバーが前記洗浄便座装置の本体部の後方に押し込まれた際に開状態となって前記排水弁から排水された洗浄水を前記汚水バケツに導水するための排水フラップと、
を備えているポータブルトイレ装置。
【請求項２】
前記排水弁から排水された洗浄水を、前記洗浄便座装置の本体部の前側の下方に設けられた前記排水フラップまで導水するための導水路をさらに備えた請求項１記載のポータブルトイレ装置。
【請求項３】
前記排水フラップを閉状態に保持するためのストッパ部材をさらに備え、
前記排水フラップは開状態となるように付勢されており、前記ストッパ部材は前記排水レバーが前記洗浄便座装置の本体部の後方に押し込まれた際に前記排水フラップの閉状態を解放するような構成となっている請求項１または２記載のポータブルトイレ装置。
【請求項４】
前記排水レバーには、突起部が設けられ、
前記洗浄便座装置の本体部には、前記操作部が操作され前記排水レバーが前記洗浄便座装置の本体部の後方に押し込まれた際に前記突起部を係止し、前記排水レバーに上側方向の応力が加えられた場合に前記突起部を開放するための係止部が設けられている請求項１から３のいずれか１項記載のポータブルトイレ装置。
【請求項５】
前記導水路が、前記洗浄便座装置の本体部の底部に設けられ、周囲がリブにより構成されることにより、前記排水弁から排水された洗浄水を前記排水フラップまで導水するための排水溝である請求項２から４のいずれか１項記載のポータブルトイレ装置。
【発明の詳細な説明】
【技術分野】
【０００１】
本発明は、給水タンクから温水タンクに水を給水し、この温水タンクに貯留させヒータ等により加温した洗浄水をノズルから噴出して、便座に着座した利用者の局部を洗浄するポータブルトイレ装置に関する。
【背景技術】
【０００２】
近年、家庭内や公共施設に設置されている多くのトイレには、便座に着座した利用者の局部をノズルから噴出した洗浄水により洗浄する温水洗浄便座装置が取り付けられている。このような温水洗浄便座装置では、内部に温水タンクが設けられ、この温水タンクに洗浄水を貯留し、この温水タンクに貯留した洗浄水を洗浄ノズルから噴出して、便座に着座した利用者の局部を洗浄するという動作が行われる。また、このような温水洗浄便座装置にあっては、温水タンクに貯留された洗浄水は、ヒータにより温水化され、予め設定された温度付近の洗浄水となるような制御が行われる。
【０００３】
このような温水洗浄便座装置では、電源がオン状態であれば、温水タンクに貯留されている洗浄水が温められるため、例え周囲が低温となった場合でも凍結するようなことはない。しかし、冬季等の気温が低い環境下において主電源オフや洗浄水を温めるためのヒータをオフとするような状態で長時間放置されると、温水タンクに貯留された洗浄水が凍結してしまい温水タンクが破損してしまう可能性がある。そのため、このような温水タンクの破損を防止するために、例えば、取扱説明書には温度調整スイッチ（温水モード）をオフにしないような注意書きや、温水タンクに貯留した洗浄水を水抜きして温水タンク内部を空にする方法等の注意書きをして対策をしている。
【０００４】
また、近年の高齢化に伴う要介護者の増加により、トイレまでの移動が困難な要介護者のために、水道が設けられていない場所等で使用されるポータブルトイレ装置の需要も増えており、このようなポータブルトイレ装置においても、洗浄便座装置を取り付けたものが市販されるようになっている。
【０００５】
このようなポータブルトイレ装置では、特定の要介護者のみが利用することが多く、普段使用している要介護者が入院したり介護サービス等を利用して長期間別の場所で生活する等の可能性があるため、長期間使用されなくなってしまうような状況が発生し易い。よって、ポータブルトイレ装置に温水洗浄便座装置を設置した場合、温水タンクを排水して空にする必要性が発生する頻度が高い。
【０００６】
このような温水タンクの排水のため、例えば、特許文献１、２には、温水洗浄便座ユニットの側面に温水タンクの洗浄水を排水するための水抜き穴を設け、水抜き穴を封止していた排水栓を取り外すことにより温水タンク内の洗浄水を便器内に排水することができるような水抜き構造を有するトイレ装置も提案されている。
【先行技術文献】
【特許文献】
【０００７】
【特許文献１】特開平８−９３０３２号公報
【特許文献２】特開平８−９３０３３号公報
【発明の概要】
【発明が解決しようとする課題】
【０００８】
しかし、上記の特許文献１、２記載のトイレ装置のような排水方法をポータブルトイレ
装置に適用した場合、洗浄水を汚水バケツ（汚水トレイ、汚水受）に排水することになる。しかし、ポータブルトイレ装置では、この汚水バケツは装置本体から取り外し可能となっており、中に溜まった使用後の洗浄水や汚物等を捨てに行くことができるようになっている。そのため、この汚水バケツの取り外し易さを考慮すると、汚水バケツの後端を温水洗浄便座装置下方の奥側となるような位置関係に設定することは困難である。
【０００９】
しかし、例えば温水洗浄便座装置本体に排水口を設けて温水タンク内の洗浄水を排水するような場合、汚水バケツの縁と排水口の位置間に十分な余裕寸法が無いと、排水口から排水された洗浄水が汚水バケツの内側に排水されずに汚水バケツの外側に漏れてしまうような恐れがある。
【００１０】
特に、ポータブルトイレ装置が室内に設置して使用される場合、汚水バケツの内側に排水されなかった洗浄水は床等に漏れてしまうことになる。
【００１１】
そこで、本発明は、上記問題点を解決することを課題とし、洗浄水を排水するための排水口と汚水バケツとの位置関係に十分な余裕寸法が設定できないような場合でも、温水タンクの洗浄水を汚水バケツ内に確実に排水することが可能なポータブルトイレ装置を提供することを目的とする。
【課題を解決するための手段】
【００１２】
上記目的を達成するために、本発明のポータブルトイレ装置は、ノズルから洗浄水を噴出して利用者の局部を洗浄するための洗浄便座装置が備えられたポータブルトイレ装置であって、
前記ノズルから噴出され使用された後の洗浄水を受けるための汚水バケツと、
前記ノズルから噴出するための洗浄水を貯留して所定温度まで加温するための温水タンクと、
前記温水タンクの下部に設けられ、当該温水タンクの外側から所定以上の応力が加えられることにより、前記温水タンク内に貯留されている洗浄水を排水するための排水弁と、
前記洗浄便座装置の前記ノズルが収納されている本体部の前側に操作部が設けられ、前記操作部が操作されることにより前記排水弁に応力を伝達するための排水レバーと、
前記排水レバーが前記洗浄便座装置の本体部の後方に押し込まれた際に開状態となって前記排水弁から排水された洗浄水を前記汚水バケツに導水するための排水フラップとを備えている。
【００１３】
本発明によれば、温水タンク内の洗浄水を排水する場合に、温水タンクから排水された洗浄水は、開状態となった排水フラップにより導水されて汚水バケツ内に排水されるため、洗浄水を排水するための排水口と汚水バケツとの位置関係に十分な余裕寸法が設定できないような場合でも、温水タンクの洗浄水を汚水バケツ内に確実に排水することが可能になる。
【００１４】
また、本発明のポータブルトイレ装置は、前記排水弁から排水された洗浄水を、前記洗浄便座装置の本体部の前側の下方に設けられた前記排水フラップまで導水するための導水路をさらに備えるようにしても良い。
【００１５】
本発明によれば、排水弁から排水された洗浄水は、導水路により排水フラップまで導水されるため、温水タンクと離れた場所に排水フラップが設けられた場合でも排水された洗浄水を確実に排水フラップに導水することが可能となる。
【００１６】
また、本発明のポータブルトイレ装置は、前記排水フラップを閉状態に保持するためのストッパ部材をさらに備え、
前記排水フラップは開状態となるように付勢されており、前記ストッパ部材は前記排水レバーが前記洗浄便座装置の本体部の後方に押し込まれた際に前記排水フラップの閉状態を解放するような構成としても良い。
【００１７】
また、本発明のポータブルトイレ装置では、前記排水レバーには突起部が設けられ、
前記洗浄便座装置の本体部には、前記操作部が操作され前記排水レバーが前記洗浄便座装置の本体部の後方に押し込まれた際に前記突起部を係止し、前記排水レバーに上側方向の応力が加えられた場合に前記突起部を開放するための係止部が設けられているようにしても良い。
【００１８】
本発明によれば、操作部を操作して排水レバーを押し込むことにより、排水レバーに設けられた突起部が、洗浄便座装置の本体部に設けられた係止部によって係止されるため、使用者が排水レバーの操作部から手を離しても温水タンク内の洗浄水の排水が継続され、温水タンク内に貯留された全ての洗浄水の排水を容易に行うことが可能となる。
【００１９】
また、本発明のポータブルトイレ装置では、前記導水路を、前記洗浄便座装置の本体部の底部に設けられ、周囲がリブにより構成されることにより、前記排水弁から排水された洗浄水を前記排水フラップまで導水するための排水溝としても良い。
【発明の効果】
【００２０】
本発明によれば、洗浄水を排水するための排水口と汚水バケツとの位置関係に十分な余裕寸法が設定できないような場合でも、温水タンクの洗浄水を汚水バケツ内に確実に排水することが可能になるという効果を得ることができる。
【図面の簡単な説明】
【００２１】
【図１】本発明の一実施形態に係る温水洗浄便座付ポータブルトイレ装置の正面斜視図である。
【図２】本発明の一実施形態に係る温水洗浄便座付ポータブルトイレ装置の背面斜視図である。
【図３】図１、図２中に示した温水洗浄便座ユニット３の正面斜視図である。
【図４】外装カバー３１ａを外した、温水洗浄便座本体部３１の内部構造の正面斜視図である。
【図５】本発明の一実施形態に係る温水洗浄便座付ポータブルトイレ装置における水の流れを説明するための図である。
【図６】図４に示した排水弁５３の構成を示す図（図６（Ａ））および、この排水弁５３の断面図（図６（Ｂ））である。
【図７】排水フラップ５２が閉状態の場合の、排水レバー５１周辺の拡大図の斜視図（図７（Ａ））および上面図（図７（Ｂ））である。
【図８】排水フラップ５２が開状態の場合の、排水レバー５１周辺の拡大図の斜視図（図８（Ａ））および上面図（図８（Ｂ））である。
【図９】排水フラップ５２と汚水バケツ４との位置関係を説明するための、本発明の一実施形態に係る温水洗浄便座付ポータブルトイレ装置の断面図である。
【発明を実施するための形態】
【００２２】
以下、本発明の実施形態を、図面を用いて詳細に説明する。但し、以下に示す実施形態は、本発明の技術的思想を具体化するための洗浄便座装置及び洗浄便座付ポータブルトイレ装置を例示するものであって、本発明をこの洗浄便座装置及び洗浄便座付ポータブルトイレ装置に特定することを意図するものではない。本発明は特許請求の範囲に含まれるその他の実施形態のものにも適応し得るものである。
【００２３】
図１は本発明の一実施形態に係る温水洗浄便座付ポータブルトイレ装置１の正面斜視図であり、図２は温水洗浄便座付ポータブルトイレ装置１の背面斜視図である。本実施形態に係る温水洗浄便座付ポータブルトイレ装置１は、イス本体２と、温水洗浄便座ユニット（洗浄便座装置）３と、汚水バケツ４と、給水タンク５と、を備えて構成されている。
【００２４】
イス本体２は、４本の支脚により自立可能に構成され、使用者が着座した際に、使用者の肘が位置するあたりに左肘掛部２１、右肘掛部２２が設けられ、使用者の背中に相当する部位に背もたれ２３が設けられている。また、イス本体２は、このイス本体２における座部を、後述の温水洗浄便座ユニット３を構成する便座部３２により構成されている。
【００２５】
温水洗浄便座ユニット３は、詳細を後述するが、ノズルから洗浄水を噴出して利用者の局部を洗浄するための装置であり、イス本体２の左側面部と右側面部との間で保持されており、温水洗浄便座本体部３１と、温水洗浄便座本体部３１の前方に位置する便座部３２と、で構成されている。
【００２６】
汚水バケツ（汚水トレイ、汚水受け）４は、便座部３２の下方に設置されていて、使用された後の洗浄水等を汚水として溜めておくような構成となっている。また、この汚水バケツ４は、イス本体２の前方側へスライド可能に取り付けられている。そして、汚水バケツ４内の汚水を廃棄する場合、イス本体２から汚水バケツ４を取り外し、この汚水バケツ４を廃棄場所へ持ち運んで汚水の廃棄が行われる。
【００２７】
給水タンク５は、図２に示すように、イス本体２の背面側で、温水洗浄便座本体部３１の下方において、左後側の支脚と右後側の支脚との間で保持されている。そして、この給水タンク５には、２つの給水口５ａ、５ｂが設けられている。この２つの給水口５ａ、５ｂは、それぞれキャップで覆われており、洗浄水として使用するための水を給水タンク５内へ注入する場合、一方のキャップを外して水を注入するような構成となっている。また、給水口５ａには給水ホース２４が接続されており、給水タンク５内に溜められている水を温水洗浄便座本体部３１に給水する際の水路として使用される。
【００２８】
温水洗浄便座付ポータブルトイレ装置１は、以上のような構成となっている。そして、温水洗浄便座付ポータブルトイレ装置１は、給水タンク５に注入された水を用いて、後述のノズルから洗浄水を噴出することにより、使用者の局部を洗浄し、この洗浄後の洗浄水を汚水バケツ４で受ける構成となっている。したがって、一般的な温水洗浄便座付トイレ装置のように、洗浄水として使用する水を供給するための上水道や、洗浄後の洗浄水を流すための下水道との接続を必要としないものとなっている。そして、このような温水洗浄便座付ポータブルトイレ装置１は、例えば、トイレまでの移動が困難な要介護者のベッドの近くにおいて使用することで、介護用のトイレ装置として利用することができる。また、例えば、地震等の災害による上下水道が不通のような状況で使用することで、緊急用のトイレ装置として利用することができる。
【００２９】
次に、温水洗浄便座付ポータブルトイレ装置１を構成する温水洗浄便座ユニット３の詳細について説明する。図３は、温水洗浄便座ユニット３の正面斜視図である。温水洗浄便座ユニット３は、後方に汚水洗浄便座本体部３１を備え、温水洗浄便座本体部３１の前方に便座部３２が連結された構成となっている。なお、温水洗浄便座本体部３１については詳細を後述する。
【００３０】
便座部３２は、開口３２ａを備えた樹脂製の環状部３２ｂで構成されている。そして、この環状部３２ｂに使用者が着座して温水洗浄便座付ポータブルトイレ装置１は使用される。また、便座部３２は、環状部３２ｂの後部が軸支部３２ｃで支持されており、軸支部３２ｃを介して回動できるようになっている。更に、便座部３２では、環状部３２ｂの内
部に図示しない便座ヒータが備わっており、この便座ヒータの発熱によって、環状部３２ｂが加温される構成となっている。なお、図示していないが、便座部３２を覆う便座蓋を温水洗浄便座付ポータブルトイレ装置１は備えている。さらに、図３を参照すると、環状部３２ｂの開口３２ａからは、温水洗浄便座本体部３１の下方に設けられている排水フラップ５２を視認することが可能である。この排水フラップ５２については詳細を後述する。
【００３１】
次に、温水洗浄便座本体部３１の詳細について説明する。図３に示すように、温水洗浄便座本体部３１は、外側を樹脂製の外装カバー３１ａによって覆われている。この外装カバー３１ａには、各種のスイッチからなる操作部が設けられている場合もある。
【００３２】
このような操作部を構成する各種のスイッチには、洗浄水の温度設定を行うためのスイッチや、局部の洗浄の開始・停止を行うスイッチや、後述する洗浄ノズルの位置を調整するためのスイッチ等が設けられており、これらスイッチを操作した信号が制御基板へ入力される。なお、温水洗浄便座付ポータブル装置１は、外装カバー３１ａに操作部を設ける替わりに、温水洗浄便座本体部３１と有線或いは無線により接続可能なリモコン用の操作部を備える構成となっていても構わない。また、図３には示されていないが、温水洗浄便座本体部３１の内部には、商用電源を供給するための電源コードが接続される構成となっている。
【００３３】
次に、温水洗浄便座本体部３１の内部構造の説明を行う。図４は、温水洗浄便座本体部３１の外側を覆う外装カバー３１ａを外した、温水洗浄便座本体部３１の内部構造の正面斜視図である。
【００３４】
温水洗浄便座本体部３１は、外部に給水ホース接続口４０を備え、内部に給水ポンプ４１と、逆止弁４２と、温水タンク４３と、制御基板ユニット４４と、ノズルユニット４５を備えている。
【００３５】
給水ホース接続口４０には、給水タンク５からの給水ホース２４が接続される。
【００３６】
給水ポンプ４１は、段違い構造となっている温水タンク４３の低い部分の上部に設置されており、給水タンク５の水を温水タンク４３に供給するためのポンプである。給水ポンプ４１は、入口側が給水ホース接続口４０と配管ホースにより接続され、出口側が別の配管ホースにより逆止弁４２に接続されている。この給水ポンプ４１としては、定量式電磁ポンプやギヤポンプ等、各種のポンプを用いることができる。
【００３７】
逆止弁４２は、給水ポンプ４１と温水タンク４３の水路の途中に設けられ、温水タンク４３からの洗浄水の逆流を防止するために設けられている。
【００３８】
温水タンク４３は、ノズルから噴出するための洗浄水を貯留して所定温度まで加温するためのタンクであり、樹脂製の箱状部材からなる。温水タンク４３は、逆止弁４２からの配管ホースが接続されているとともに、ノズルユニット４５とも図示されない配管ホースを介して接続されている。
【００３９】
温水タンク４３内には、貯留した洗浄水を加熱するための温水ヒータ（図示せず）が底部に配設されている。また、温水タンク４３の上部には、温水タンク４３内の洗浄水レベル（温水レベル）を検知するフロートスイッチ４３ｂ、及び温水タンク４３内の洗浄水の温度を設定温度に維持するため、温水タンク４３内の洗浄水温度を検知するためのサーミスタ４３ａが設けられている。なお、温水タンク４３には、温水タンク４３内の圧力が外気圧よりも低くなったとき温水タンク４３内と外気を連通する負圧弁（図示せず）を備え
る場合があるが、温水タンク４３内は、この負圧弁の作用によって外気と連通する以外は、外気と連通しないように気密構造である。
【００４０】
ノズルユニット４５は、おしり用の洗浄水経路とビデ用の洗浄水経路を備えるノズルと、温水タンク４３から供給された温水をおしり用の洗浄水経路と、ビデ用の洗浄水経路とに切り替える水路切換えユニットと、ノズルを前後方向に移動させる移動手段とを備えて構成されている。そして、使用者が、操作部のスイッチを操作することにより、ノズルが移動手段によって汚水バケツ４内へ進出し、洗浄水をノズル先端から噴出することにより、使用者の局部の洗浄が行われる。
【００４１】
制御基板ユニット４４は、ＣＰＵやメモリ等が備わった制御基板を備えており、制御基板と各種の構成部との間は有線・無線によって接続されている。そして、制御基板ユニット４２は、操作部を介して行われた使用者の操作等に基づいて、所定各種の構成部の制御をプログラムに従って行う制御手段として機能する。
【００４２】
この制御基板ユニット４４は、サーミスタ４３ａ、フロートスイッチ４３ｂその他の各種センサからの信号に基づいて、温水タンク４３のヒータ、給水ポンプ４１等の制御を行っている。
【００４３】
次に、本実施形態の温水洗浄便座付ポータブルトイレ装置１における水の流れを図５のブロック図を参照して説明する。
【００４４】
ノズルユニット４５から洗浄水を噴出する指示が行われた場合、給水タンク５に蓄えられた水は、給水ポンプ４１により汲み上げられて、逆止弁４２を経由して温水タンク４３に送られる。そして、温水タンク４３では、送られてきた水は洗浄水として貯留されヒータ（図示せず）により所定温度まで加温された後に、水圧によりノズルユニット４５に送られる。そして、ノズルユニット４５では、温水タンク４３から送られてきた洗浄水が人体の局部に向けて噴出される。
【００４５】
また、図４に示されるように、温水タンク４３の下部には、排水弁５３が設けられている。この排水弁５３は、温水タンク４３の外側から所定以上の応力が加えられることにより、温水タンク４３内に貯留されている洗浄水を排水するために設けられている。
【００４６】
次に、図４に示した排水弁５３の詳細な構造を図６を参照して説明する。排水弁５３は、図６（Ａ）に示されるように、排水弁ケース７１に弁パッキン７２、弁バネ７３、弁棒７４が装着されることにより構成されている。そして、弁棒７４は、弁パッキン７２を貫通して係合することにより弁パッキン７２を保持するとともに、弁バネ７３により温水タンク４３の外側方向に付勢されている。そのため、弁棒７４に外部から応力が加わっていない場合には、弁パッキン７２が弁棒７４により排水弁ケース７１に押し付けられることにより排水弁５３は閉じた状態となる。
【００４７】
そして、弁棒７４に対して外側方向から応力が加わると弁パッキン７２と排水弁ケース７１との間に隙間が発生することにより洗浄水の流路が構成され、温水タンク４３内の洗浄水が排水されるような構成となっている。
【００４８】
次に、この排水弁５３の断面図を図６（Ｂ）に示す。図６（Ｂ）の右図は、排水弁５３のＡ−Ａ’断面図である。
【００４９】
そして、図４の説明に戻ると、温水洗浄便座本体部３１内には、排水弁５３に応力を加えるための排水レバー５１が設けられている。この排水レバー５１は、ノズルユニット４
５を収容している温水洗浄便座本体部３１の前側に操作部が設けられ、この操作部が操作されることにより排水弁５３に応力を伝達するような構造となっている。
【００５０】
また、温水洗浄便座本体部３１の底部には排水溝５４が設けられ、前側の下方に排水フラップ５２が設けられている。この排水フラップ５２は、閉状態（閉じた状態）では、洗浄水を汚水バケツ４に排水するための排水口を塞ぐような構造となっている。そして、排水溝５４は、周囲がリブにより構成されることにより、排水弁５３から排水された洗浄水を排水フラップ５２まで導水する。つまり、この排水溝５４は、排水弁５３から排水された洗浄水を、温水洗浄便座本体部３１の前側の下方に設けられた排水フラップ５２（または排水口）まで導水するための導水路として機能する。
【００５１】
排水フラップ５２は、排水レバー５１と連動するような構造となっていて、排水レバー５１が温水洗浄便座装置本体部３１の後方に押し込まれた際に開状態（開いた上体）となって排水弁から排水された洗浄水を汚水バケツ４に導水する。なお、図４中の排水フラップ５２は、閉状態の場合であり、排水フラップ５２の構造の詳細については後述する。
【００５２】
このような構造となっているため、温水タンク４３内に貯留された洗浄水を排水しようとする使用者が、排水レバー５１の操作部を指等により操作すると、排水フラップ５２が開状態になるとともに、排水弁５３に応力が加えられ温水タンク４３内の洗浄水の排水が行われる。そして、排水弁５３から排水された洗浄水は、排水溝５４内を流れて、開状態の排水フラップ５２まで導水され、この排水フラップ５２から汚水バケツ４内に排水されることとなる。
【００５３】
次に、排水フラップ５２が閉状態の場合の、排水レバー５１周辺の拡大図の斜視図を図７（Ａ）に示し、その上面図を図７（Ｂ）に示す。
【００５４】
図７（Ａ）および図７（Ｂ）に示されるように、温水洗浄便座装置本体部３１には、排水フラップ５２を閉状態に保持するためのストッパ（ストッパ部材）６１が備えられている。そして、排水フラップ５２は開状態となるように付勢されている。なお、本実施形態においては、排水フラップ５２は自重により開状態となるように付勢されているが、バネ等の弾性部材により開状態となるように付勢することも可能である。
【００５５】
そして、ストッパ６１は、排水レバー５１が洗浄便座装置本体部３１の後方に押し込まれた際に排水フラップ５２の閉状態を解放するような構成となっている。具体的には、ストッパ６１と排水レバー５１とは接続リンク６２により接続されている。そして、この接続リンク６２内にはスプリング６３が挿入されている。このような構造により、排水レバー５１が押し込まれるとストッパ６１が接続リンク６２により引き込まれて排水フラップ５２の保持状態が解除される。その結果、排水フラップ５２は、自重により開状態となるようになっている。
【００５６】
なお、図７（Ａ）、図７（Ｂ）において示されている状態では、排水レバー５１は押し込まれていないため、排水フラップ５２はストッパ６１により閉状態に保持されている。
【００５７】
次に、排水フラップ５２が開状態の場合の、排水レバー５１周辺の拡大図の斜視図を図８（Ａ）に示し、その上面図を図８（Ｂ）に示す。
【００５８】
図８（Ａ）、図８（Ｂ）において示されている状態では、排水レバー５１が温水洗浄便座装置本体部３１内には押し込まれた状態となっている。そのため、排水レバー５１と連動する構成となっているストッパ６１が引っ込んだ状態となり、排水フラップ５２が自重で倒れて開状態になっている。なお、温水タンク４３内の洗浄水の排水が終了して排水フ
ラップ５２を元の閉状態に戻す場合には、まず排水レバー５１を元の状態に戻す。すると、ストッパ６１が排水フラップ５２側に突出した状態となるので、使用者が排水フラップ５２を元の閉状態の位置に戻すことにより排水フラップ５２は閉状態に保持される。
【００５９】
なお、排水レバー５１に突起部を設け、温水洗浄便座本体部３１に、この突起部を係止するための係止部を設け、この係止部が、操作部が操作され排水レバー５１が温水洗浄便座本体部３１の後方に押し込まれた際に突起部を係止し、排水レバー５１に上側等の方向の応力が加えられた場合に突起部を開放するような構造とするようにしても良い。
【００６０】
このような構造とすることにより、操作部を操作して排水レバー５１を押し込むことにより、排水レバー５１に設けられた突起部が、洗浄便座装置本体部３１に設けられた係止部によって係止されるため、使用者が排水レバー５１の操作部から手を離しても温水タンク４３内の洗浄水の排水が継続され、温水タンク４３内に貯留された全ての洗浄水の排水を容易に行うことが可能となる。
【００６１】
次に、排水フラップ５２と汚水バケツ４との位置関係を図９を参照して説明する。図９（Ａ）は、本実施形態の温水洗浄便座付ポータブルトイレ装置１の正面図であり、図９（Ｂ）は図９（Ａ）中のＢ−Ｂ’断面図である。
【００６２】
図９（Ｂ）に示す断面図では、排水フラップ５２は開状態となっていて、温水タンク４３から排水された洗浄水が排水フラップ５２上を流れて汚水バケツ４内に排水される様子が示されている。
【００６３】
図９（Ｂ）を参照すると分かるように、排水フラップ５２から洗浄水を排水することにより、汚水バケツ４の縁よりも内側に洗浄水が排水されることになる。そのため、本実施形態の温水洗浄便座付ポータブルトイレ装置１によれば、洗浄水を排水するための排水口と汚水バケツ４との位置関係に十分な余裕寸法が設定できないような場合でも、温水タンク４３の洗浄水を汚水バケツ４内に確実に排水することが可能になる。
【符号の説明】
【００６４】
１    温水洗浄便座付ポータブルトイレ装置
２    イス本体
３    温水洗浄便座ユニット
４    汚水バケツ
５    給水タンク
５ａ、５ｂ    給水口
２１    左肘掛部
２２    右肘掛部
２３    背もたれ
２４    給水ホース
３１    温水洗浄便座本体部
３１ａ    外装カバー
３２    便座部
３２ａ    開口
３２ｂ    環状部
３２ｃ  軸支部
４０    給水ホース接続口
４１    給水ポンプ
４２    逆止弁
４３    温水タンク
４３ａ    サーミスタ
４３ｂ    フロートスイッチ
４４    制御基板ユニット
４５    ノズルユニット
５１    排水レバー
５２    排水フラップ
５３    排水弁
５４    排水溝
６１    ストッパ
６２    接続リンク
６３    スプリング
７１    排水弁ケース
７２    弁パッキン
７３    弁バネ
７４    弁棒
【図１】
2014015724.tif 000003
【図２】
2014015724.tif 000004
【図３】
2014015724.tif 000005
【図４】
2014015724.tif 000006
【図５】
2014015724.tif 000007
【図６】
2014015724.tif 000008
【図７】
2014015724.tif 000009
【図８】
2014015724.tif 000010
【図９】
2014015724.tif 000011